(57)【特許請求の範囲】
【請求項１】
有機物を含む排水を膜ろ過処理する膜ろ過手段と、
前記膜ろ過手段の膜を、酸とアルカリのそれぞれ１種類を含む、少なくとも２種類の薬品を使用した薬品洗浄を定期的に行う洗浄手段と、
を備え、
前記薬品洗浄を行った際の薬品洗浄前の膜間差圧（ΔＰ０）と薬品洗浄後の膜間差圧（ΔＰ１）から算出したΔＰａ（＝ΔＰ０−ΔＰ１）に対し、予め設定した基準膜間差圧ΔＰｘを参照して、次回の薬品洗浄において前回と同じ薬品を使用するか否かを選択することを特徴とする排水回収システム。
【請求項２】
請求項１に記載の排水回収システムであって、
前記膜ろ過手段は、前記有機物を含む排水を生物処理し、次いで凝集および固液分離処理した固液分離処理水を膜ろ過処理するものであることを特徴とする排水回収システム。
【請求項３】
請求項１または２に記載の排水回収システムであって、
前記薬品洗浄を行った際の薬品洗浄前の膜間差圧（ΔＰ０）と薬品洗浄後の膜間差圧（ΔＰ１）から算出したΔＰａ（＝ΔＰ０−ΔＰ１）に対し、予め設定した基準膜間差圧ΔＰｘを参照して、ΔＰａ＜ΔＰｘとなった場合には、次回の薬品洗浄において前回と異なる薬品を使用することを特徴とする排水回収システム。
【請求項４】
請求項３に記載の排水回収システムであって、
ΔＰａ≧ΔＰｘとなった場合には、次回の薬品洗浄において前回と同じ薬品を使用することを特徴とする排水回収システム。
【請求項５】
請求項１〜４のいずれか１項に記載の排水回収システムであって、
前記固液分離処理水は、アルミニウムを含むことを特徴とする排水回収システム。
【請求項６】
有機物を含む排水を膜ろ過処理する膜ろ過工程と、
前記膜ろ過工程で用いた膜を、酸とアルカリのそれぞれ１種類を含む、少なくとも２種類の薬品を使用した薬品洗浄を定期的に行う洗浄工程と、
を含み、
前記薬品洗浄を行った際の薬品洗浄前の膜間差圧（ΔＰ０）と薬品洗浄後の膜間差圧（ΔＰ１）から算出したΔＰａ（＝ΔＰ０−ΔＰ１）に対し、予め設定した基準膜間差圧ΔＰｘを参照して、次回の薬品洗浄において前回と同じ薬品を使用するか否かを選択することを特徴とする排水回収方法。
【請求項７】
請求項６に記載の排水回収方法であって、
前記膜ろ過工程は、前記有機物を含む排水を生物処理し、次いで凝集および固液分離処理した固液分離処理水を膜ろ過処理する工程であることを特徴とする排水回収方法。
【請求項８】
請求項６または７に記載の排水回収方法であって、
前記薬品洗浄を行った際の薬品洗浄前の膜間差圧（ΔＰ０）と薬品洗浄後の膜間差圧（ΔＰ１）から算出したΔＰａ（＝ΔＰ０−ΔＰ１）に対し、予め設定した基準膜間差圧ΔＰｘを参照して、ΔＰａ＜ΔＰｘとなった場合には、次回の薬品洗浄において前回と異なる薬品を使用することを特徴とする排水回収方法。
【請求項９】
請求項８に記載の排水回収方法であって、
ΔＰａ≧ΔＰｘとなった場合には、次回の薬品洗浄において前回と同じ薬品を使用することを特徴とする排水回収方法。
【請求項１０】
請求項６〜９のいずれか１項に記載の排水回収方法であって、
前記固液分離処理水は、アルミニウムを含むことを特徴とする排水回収方法。
【発明の詳細な説明】
【技術分野】
【０００１】
本発明は、有機物を含む排水の排水回収システムおよび排水回収方法に関し、特に、有機物を含む排水を生物処理し、次いで生物処理水を凝集および固液分離処理した固液分離処理水を膜ろ過処理する排水回収システムおよび排水回収方法に関する。
【背景技術】
【０００２】
近年の水需要の高まりから、排水を回収再利用する要求が増えている。生物分解可能な有機物を含む排水の回収設備は、一般的に、まず排水中に含まれる有機物を生物処理し、その後段で凝集および固液分離処理し、固液分離処理水を膜ろ過処理で懸濁物質等を除去した後、逆浸透膜処理等の純水装置にて処理を行う排水回収システムが用いられる。
【０００３】
このような排水回収システムを連続運転していくと、膜ろ過処理で用いる膜がファウリング（閉塞）し、ろ過水量が低下する場合がある。このファウリングの原因物質は、排水由来の金属や有機物、前段の生物処理により生じる高分子有機物、前段の凝集および固液分離処理で注入する金属系凝集剤およびそれ由来の金属、高分子凝集剤の一部等が挙げられる。
【０００４】
このような排水回収システムの処理対象となる有機物を含む排水の性状が変動することがある。変動する排水性状に対し、生物処理や凝集および固液分離処理を安定して行うことは困難であり、生物処理が不安定になった場合には有機物等が、凝集および固液分離処理が不安定になった場合は小さな粒子となった金属系凝集剤等が、膜ろ過のファウリング要因となる。排水性状や、前段の生物処理、凝集および固液分離処理の処理状況の変化による膜のファウリング状況の変化は、圧力や流量によりモニタリング可能だが、膜のファウリングに寄与する物質を完全にモニタリングすることは難しい。
【０００５】
膜のファウリングを抑制する方法または膜を洗浄する方法として、一般的には次亜塩素酸ナトリウム水溶液を膜の２次側から１次側に逆流させる方法が用いられる。
【０００６】
膜の洗浄効果を高める方法として、塩素を含む水を膜の２次側から逆流させた後、その水を所定時間保持することで膜を洗浄する方法（特許文献１参照）や、膜モジュール内に酸性の洗浄液を所定時間保持して洗浄する方法（特許文献２参照）等がある。また、膜の洗浄において酸洗浄とアルカリ洗浄を交互に行う方法がある（特許文献３〜５参照）。
【０００７】
しかし、特許文献１〜５の方法では、排水性状や、前段の生物処理、凝集および固液分離処理の処理状況が変動して、被処理水の性状が変動した、膜のファウリング状況の変化に十分に対応することができない。
【先行技術文献】
【特許文献】
【０００８】
【特許文献１】特開平１０−０１５３６５号公報
【特許文献２】特開２００６−１０２６３４号公報
【特許文献３】特開２００１−２１９０３９号公報
【特許文献４】特開２００７−２９６５００号公報
【特許文献５】特開２００５−２８８４４２号公報
【発明の概要】
【発明が解決しようとする課題】
【０００９】
本発明の目的は、有機物を含む排水を回収再利用する排水回収システムにおいて、被処理水の性状が変動しても、膜ろ過のファウリングを抑制することができ、安定運転が可能な排水回収システムおよび排水回収方法を提供することである。
【課題を解決するための手段】
【００１０】
本発明は、有機物を含む排水を膜ろ過処理する膜ろ過手段と、前記膜ろ過手段の膜を、酸とアルカリのそれぞれ１種類を含む、少なくとも２種類の薬品を使用した薬品洗浄を定期的に行う洗浄手段と、を備え、前記薬品洗浄を行った際の薬品洗浄前の膜間差圧（ΔＰ０）と薬品洗浄後の膜間差圧（ΔＰ１）から算出したΔＰａ（＝ΔＰ０−ΔＰ１）に対し、予め設定した基準膜間差圧ΔＰｘを参照して、次回の薬品洗浄において前回と同じ薬品を使用するか否かを選択する排水回収システムである。
【００１１】
前記排水回収システムにおいて、前記膜ろ過手段は、前記有機物を含む排水を生物処理し、次いで凝集および固液分離処理した固液分離処理水を膜ろ過処理するものであることが好ましい。
【００１２】
前記排水回収システムにおいて、前記薬品洗浄を行った際の薬品洗浄前の膜間差圧（ΔＰ０）と薬品洗浄後の膜間差圧（ΔＰ１）から算出したΔＰａ（＝ΔＰ０−ΔＰ１）に対し、予め設定した基準膜間差圧ΔＰｘを参照して、ΔＰａ＜ΔＰｘとなった場合には、次回の薬品洗浄において前回と異なる薬品を使用することが好ましい。
【００１３】
前記排水回収システムにおいて、ΔＰａ≧ΔＰｘとなった場合には、次回の薬品洗浄において前回と同じ薬品を使用することが好ましい。
【００１４】
前記排水回収システムにおいて、前記固液分離処理水は、アルミニウムを含むことが好ましい。
【００１５】
また、本発明は、有機物を含む排水を膜ろ過処理する膜ろ過工程と、前記膜ろ過工程で用いた膜を、酸とアルカリのそれぞれ１種類を含む、少なくとも２種類の薬品を使用した薬品洗浄を定期的に行う洗浄工程と、を含み、前記薬品洗浄を行った際の薬品洗浄前の膜間差圧（ΔＰ０）と薬品洗浄後の膜間差圧（ΔＰ１）から算出したΔＰａ（＝ΔＰ０−ΔＰ１）に対し、予め設定した基準膜間差圧ΔＰｘを参照して、次回の薬品洗浄において前回と同じ薬品を使用するか否かを選択する排水回収方法である。
【００１６】
前記排水回収方法において、前記膜ろ過工程は、前記有機物を含む排水を生物処理し、次いで凝集および固液分離処理した固液分離処理水を膜ろ過処理する工程であることが好ましい。
【００１７】
前記排水回収方法において、前記薬品洗浄を行った際の薬品洗浄前の膜間差圧（ΔＰ０）と薬品洗浄後の膜間差圧（ΔＰ１）から算出したΔＰａ（＝ΔＰ０−ΔＰ１）に対し、予め設定した基準膜間差圧ΔＰｘを参照して、ΔＰａ＜ΔＰｘとなった場合には、次回の薬品洗浄において前回と異なる薬品を使用することが好ましい。
【００１８】
前記排水回収方法において、ΔＰａ≧ΔＰｘとなった場合には、次回の薬品洗浄において前回と同じ薬品を使用することが好ましい。
【００１９】
前記排水回収方法において、前記固液分離処理水は、アルミニウムを含むことが好ましい。
【発明の効果】
【００２０】
本発明では、有機物を含む排水を回収再利用する排水回収システムにおいて、被処理水の性状が変動しても、膜ろ過のファウリングを抑制することができ、安定運転が可能な排水回収システムおよび排水回収方法を提供することができる。
【図面の簡単な説明】
【００２１】
【図１】本発明の実施形態に係る排水回収システムの一例を示す概略構成図である。
【図２】本発明の実施形態に係る排水回収方法の一例を示すフローチャートである。
【図３】実施例および比較例で用いた排水回収システムを示す概略構成図である。
【図４】実施例および比較例の結果を示すグラフである。
【発明を実施するための形態】
【００２２】
本発明の実施の形態について以下説明する。本実施形態は本発明を実施する一例であって、本発明は本実施形態に限定されるものではない。
【００２３】
本発明の実施形態に係る排水回収システムの一例の概略を図１に示し、その構成について説明する。排水回収システム１は、被処理水を膜ろ過処理する膜ろ過手段として膜ろ過装置１２を備える。排水回収システム１は、膜ろ過装置１２の前段に、被処理水を貯留する被処理水槽１０と、膜ろ過装置１２の後段に、処理水を貯留する処理水槽１４とを備えてもよい。
【００２４】
図１の排水回収システム１において、被処理水槽１０の入口には、被処理水配管３０が接続され、被処理水槽１０の出口と、膜ろ過装置１２の被処理水入口とは、ポンプ２２、ストレーナ２０を介して被処理水供給配管３２により接続されている。膜ろ過装置１２の処理水出口と、処理水槽１４の入口とは、処理水配管３４により接続されている。処理水槽１４の処理水出口には、処理水排出配管３６が接続されている。処理水槽１４の逆洗水出口と、膜ろ過装置１２の逆洗水入口とは、ポンプ２４を介して逆洗水配管３８により接続されている。膜ろ過装置１２の逆洗排水出口には、逆洗排水配管４０が接続されている。逆洗水配管３８の途中には、ポンプ２６を介して酸供給配管４２により酸貯槽１６の出口が接続され、ポンプ２８を介してアルカリ供給配管４４によりアルカリ貯槽１８の出口が接続されている。逆洗水配管３８の途中には、ポンプ４８を介して殺菌剤供給配管５０により殺菌剤貯槽４６の出口が接続されていてもよい。
【００２５】
本実施形態に係る排水回収方法および排水回収システム１の動作について説明する。
【００２６】
有機物を含む排水が生物処理手段である生物処理装置において生物処理され（生物処理工程）、次いでその生物処理水について、凝集／固液分離処理手段である凝集／固液分離処理において凝集および固液分離処理（凝集／固液分離処理工程）された固液分離処理水が被処理水として、被処理水配管３０を通して、必要に応じて被処理水槽１０に貯留される。被処理水槽１０に貯留された被処理水は、ポンプ２２により被処理水供給配管３２を通して膜ろ過装置１２に供給される。必要に応じて被処理水供給配管３２の途中にストレーナ２０を設置し、被処理水中の比較的大きめの固形物等が除去されてもよい。
【００２７】
膜ろ過装置１２において、被処理水中の懸濁物質等が膜を用いてろ過されて除去される（膜ろ過工程）。
【００２８】
膜ろ過された処理水は、処理水配管３４を通して必要に応じて処理水槽１４に貯留された後、その少なくとも一部は、処理水排出配管３６を通して排出される。排出された処理水は、必要に応じて活性炭処理手段である活性炭処理装置に供給されて活性炭処理が行われ（活性炭処理工程）、さらに、逆浸透膜処理手段である逆浸透膜処理装置等の純水装置に供給されて逆浸透膜処理（逆浸透膜処理工程）等が行われてもよい。
【００２９】
半導体製造工場等から排出される有機物含有排水の従来の排水回収システムにおいて、膜ろ過装置の膜がファウリング（閉塞）するトラブルが生じる場合がある。膜ろ過装置の膜のファウリング要因としては、前段の生物処理工程からリークする高分子有機物と、前段の凝集／固液分離処理工程からリークするアルミニウム等の凝集剤由来の金属の２つがメインである。生物処理される有機物を含む排水の性状の変化、生物処理性の変化等によることが要因で、膜ろ過装置１２に流入する高分子有機物とアルミニウム等の金属等の量が変化するため、ファウリングの主要因も変化してしまう。
【００３０】
本発明者らが検討し、排水性状や、前段の生物処理、凝集および固液分離処理の処理状況が変動して、性状が変動する被処理水について膜ろ過装置を安定運転するために、酸とアルカリを使った洗浄（薬品強化逆洗：ＣＥＢ）を定期的に行ったところ、効果が認められた。洗浄工程において、酸とアルカリのそれぞれ１種類を含む、少なくとも２種類の薬品を使用した薬品洗浄を定期的に行うことによって、有機物を含む排水を回収再利用する排水回収システムにおいて、排水性状や、前段の生物処理、凝集および固液分離処理の処理状況が変動して、被処理水の性状が変動しても、膜ろ過のファウリングを抑制することができ、安定運転が可能となる。
【００３１】
そこで、本実施形態に係る排水回収方法および排水回収システム１では、連続運転する際に定期的に膜ろ過装置１２の洗浄を行う。この膜の定期的な洗浄は、処理水の少なくとも一部が逆洗水として処理水槽１４からポンプ２４により逆洗水配管３８を通して膜ろ過装置１２の２次側から１次側に逆流されて、行われる。この際、酸貯槽１６からポンプ２６により酸供給配管４２を通して酸が逆洗水配管３８において逆洗水に供給され、酸洗浄が行われるか、または、アルカリ貯槽１８からポンプ２８によりアルカリ供給配管４４を通してアルカリが逆洗水配管３８において逆洗水に供給され、アルカリ洗浄が行われる（洗浄工程）。逆洗排水は、逆洗排水配管４０を通して膜ろ過装置１２の１次側から排出される。
【００３２】
なお、この洗浄工程において、酸貯槽１６、ポンプ２６、酸供給配管４２が酸供給手段として、アルカリ貯槽１８、ポンプ２８、アルカリ供給配管４４がアルカリ供給手段として機能し、それらに加えて、逆洗手段である処理水槽１４、ポンプ２４、逆洗水配管３８が、膜ろ過装置１２の膜を、酸とアルカリのそれぞれ１種類を含む、少なくとも２種類の薬品を使用した薬品洗浄を定期的に行う洗浄手段として機能することになる。
【００３３】
本実施形態に係る排水回収方法および排水回収システム１では、酸とアルカリを使った定期的な洗浄工程において、薬品洗浄を行った際の薬品洗浄前の膜間差圧（ΔＰ０）と薬品洗浄後の膜間差圧（ΔＰ１）から算出したΔＰａ（＝ΔＰ０−ΔＰ１）に対し、予め設定した基準膜間差圧ΔＰｘを参照して、次回の薬品洗浄において前回と同じ薬品を使用するか否かを選択することが好ましい。
【００３４】
そして、薬品洗浄を行った際の薬品洗浄前の膜間差圧（ΔＰ０）と薬品洗浄後の膜間差圧（ΔＰ１）から算出したΔＰａ（＝ΔＰ０−ΔＰ１）に対し、予め設定した基準膜間差圧ΔＰｘを参照して、ΔＰａ＜ΔＰｘとなった場合には、次回の薬品洗浄において前回と異なる薬品を使用することがより好ましい。
【００３５】
この方法により、効率よく膜ろ過のファウリングを抑制することができる。このように薬品洗浄を行う場合のフローチャートの一例を図２に示す。
【００３６】
まず、ステップ１０（Ｓ１０）において、薬品洗浄前の膜間差圧（ΔＰ０）を測定する。次に、ステップ１２（Ｓ１２）において、酸が供給された逆洗水により酸洗浄を行うか、アルカリが供給された逆洗水によりアルカリ洗浄を行うかのいずれかを選択し、膜ろ過装置１２の膜の洗浄を行う（洗浄工程）。次に、ステップ１４（Ｓ１４）において、薬品洗浄後の膜間差圧（ΔＰ１）を測定する。ステップ１６（Ｓ１６）において、ステップ１０（Ｓ１０）で測定した薬品洗浄前の膜間差圧（ΔＰ０）と、ステップ１４（Ｓ１４）で測定した薬品洗浄後の膜間差圧（ΔＰ１）とから、ΔＰａ（＝ΔＰ０−ΔＰ１）を算出する。予め設定した基準膜間差圧ΔＰｘを参照して、ΔＰａ＜ΔＰｘとなった場合には、ステップ１２の洗浄の効果が低かったことを示すので、次回の薬品洗浄で、ステップ１８（Ｓ１８）において、薬品洗浄前の膜間差圧（ΔＰ０）を測定した後、ステップ２０（Ｓ２０）において、前回と異なる薬品を使用して洗浄を行う（ステップ１２で酸洗浄を行った場合には、ステップ２０でアルカリ洗浄を行い、ステップ１２でアルカリ洗浄を行った場合には、ステップ２０で酸洗浄を行う。）。ΔＰａ≧ΔＰｘとなった場合には、ステップ１２の洗浄の効果があったことを示すので、次回の薬品洗浄で、ステップ２２（Ｓ２２）において、薬品洗浄前の膜間差圧（ΔＰ０）を測定した後、ステップ２４（Ｓ２４）において、前回と同じ薬品を使用して洗浄を行う（ステップ１２で酸洗浄を行った場合には、ステップ２４で酸洗浄を行い、ステップ１２でアルカリ洗浄を行った場合には、ステップ２４でアルカリ洗浄を行う。）。その後、ステップ１４において、薬品洗浄後の膜間差圧（ΔＰ１）を測定し、ステップ１６において、ステップ１８またはステップ２２で測定した薬品洗浄前の膜間差圧（ΔＰ０）と、ステップ１４で測定した薬品洗浄後の膜間差圧（ΔＰ１）とから、ΔＰａ（＝ΔＰ０−ΔＰ１）を算出し、以下同様の操作を行えばよい。１回目の薬品洗浄で、酸洗浄を行うか、アルカリ洗浄を行うかは、被処理水の性状等に基づいて決定すればよい。上記の薬品洗浄工程は、制御部等による自動制御が行われてもよい。
【００３７】
処理対象となる被処理水は、半導体製造工場、食品工場等から排出される有機物を含む排水が生物処理され（生物処理工程）、次いでその生物処理水について凝集および固液分離処理（凝集／固液分離処理工程）された固液分離処理水であればよく、特に制限はない。生物処理工程、凝集／固液分離処理工程の前後段に他の工程が入っていてもよい。
【００３８】
生物処理は、微生物を用いて、有機物を含む排水の処理を行うものであればよく、特に制限はない。凝集および固液分離処理は、ポリ塩化アルミニウム等の無機凝集剤や高分子凝集剤等の凝集剤を用いて、生物処理水の凝集処理および固液分離処置を行うものであればよく、特に制限はない。
【００３９】
被処理水である固液分離処理水の性状が、ＴＯＣで示される有機物の含有量が０．１〜１００ｍｇ／Ｌの範囲で変動し、アルミニウム等の金属の含有量が０．０１〜２０ｍｇ／Ｌの範囲で変動するものである場合に、本実施形態に係る排水回収システムおよび排水回収方法が好適に適用される。
【００４０】
膜ろ過装置１２で用いられる膜は、通常、限外ろ過膜（ＵＦ膜）または精密ろ過膜（ＭＦ膜）等である。
【００４１】
薬品洗浄に用いる酸としては、特に制限はないが、塩酸、硫酸等の無機酸、シュウ酸、クエン酸等の有機酸が挙げられ、洗浄時の回復性等の点から、シュウ酸、クエン酸等の有機酸を用いることが好ましい。
【００４２】
酸洗浄において、酸を添加した逆洗水のｐＨが１〜３の範囲になるように酸を添加することが好ましく、費用対効果等の観点からは、ｐＨ２〜３の範囲になるように酸を添加することがより好ましい。
【００４３】
薬品洗浄に用いるアルカリとしては、特に制限はないが、比較的安価な水酸化ナトリウム、次亜塩素酸ナトリウム等を用いることが好ましい。
【００４４】
アルカリ洗浄において、アルカリを添加した逆洗水のｐＨが１０〜１３の範囲になるようにアルカリを添加することが好ましく、費用対効果等の観点からは、ｐＨ１１〜１２の範囲になるようにアルカリを添加することがより好ましい。
【００４５】
アルカリ洗浄において、次亜塩素酸ナトリウム等の殺菌剤をアルカリと併用してもよい。例えば、図１に示すように、アルカリとともに、殺菌剤貯槽４６からポンプ４８により殺菌剤供給配管５０を通して殺菌剤が逆洗水配管３８において逆洗水に供給されてもよい。
【００４６】
逆洗水中の殺菌剤の濃度としては、有効塩素濃度で１〜１０００ｍｇ−Ｃｌ２／Ｌの範囲となるように添加することが好ましい。有効塩素濃度で１ｍｇ−Ｃｌ２／Ｌ未満であると、殺菌効果が十分ではなく、１０００ｍｇ−Ｃｌ２／Ｌを超えると、膜を劣化させてしまう場合がある。
【実施例】
【００４７】
以下、実施例および比較例を挙げ、本発明をより具体的に詳細に説明するが、本発明は、以下の実施例に限定されるものではない。
【００４８】
＜実施例、比較例１，２＞
実施例および比較例として、原水（被処理水）として実際の工場排水（凝集／固液分離処理水）を使った通水実験を行った。実験フローを図３、原水水質を表１、実験条件を表２に示す。
【００４９】
表１に示すように、原水（被処理水）である工場排水（凝集／固液分離処理水）は、ＴＯＣで示される有機物の含有量が５〜３０ｍｇ／Ｌの範囲で、金属（アルミニウム）の含有量が１〜１０ｍｇ／Ｌの範囲で大きく変動するものであった。
【００５０】
実施例では、１回／日の割合で洗浄工程を行い、洗浄工程において、薬品洗浄前の膜間差圧（ΔＰ０）と薬品洗浄後の膜間差圧（ΔＰ１）から算出したΔＰａ（＝ΔＰ０−ΔＰ１）に対し、予め設定した基準膜間差圧ΔＰｘを参照して、酸洗浄またはアルカリ洗浄を選択して行った。ΔＰａ＜ΔＰｘとなった場合には、次回の薬品洗浄において前回と異なる薬品を使用し、ΔＰａ≧ΔＰｘとなった場合には、次回の薬品洗浄において前回と同じ薬品を使用した。基準膜間差圧ΔＰｘは、２０ｋＰａに設定した。
【００５１】
比較例１，２でも１回／日の割合で洗浄工程を行ったが、比較例１ではシュウ酸を用いた酸洗浄のみを行い、比較例２では次亜塩素酸ナトリウムおよび水酸化ナトリウムを用いたアルカリ洗浄のみを行った。
【００５２】
なお、膜間差圧は、デジタル差圧計（長野計器株式会社製、ＧＣ５０）を用いて、測定した。
【００５３】
【表１】
0006693804.tif 000002
【００５４】
【表２】
0006693804.tif 000003
【００５５】
実験結果を図４に示す。図４において、膜間差圧が１００ｋＰａに到達するまでの日数は、比較例１では約１２日、比較例２では約２１日であったのに対し、実施例では１００ｋＰａに到達することなく、３０日間安定運転することができた。
【００５６】
このように、実施例では、有機物を含む排水を回収再利用する排水回収システムにおいて、被処理水の性状が変動しても、膜ろ過のファウリングを抑制することができた。
【符号の説明】
【００５７】
１  排水回収システム、１０  被処理水槽、１２  膜ろ過装置、１４  処理水槽、１６  酸貯槽、１８  アルカリ貯槽、２０  ストレーナ、２２，２４，２６，２８，４８  ポンプ、３０  被処理水配管、３２  被処理水供給配管、３４  処理水配管、３６  処理水排出配管、３８  逆洗水配管、４０  逆洗排水配管、４２  酸供給配管、４４  アルカリ供給配管、４６  殺菌剤貯槽、５０  殺菌剤供給配管。
【図１】
0006693804.tif 000004
【図２】
0006693804.tif 000005
【図３】
0006693804.tif 000006
【図４】
0006693804.tif 000007